(57)【特許請求の範囲】
【請求項１】
送信されてきた画像データを受信する受信部と、
この受信部で受け取った画像データを蓄積するバッファメモリと、
このバッファメモリから画素データを読み出して１ライン毎に蓄積するＦＩＦＯメモリと、
主走査方向について間引き設定レジスタに設定してある値により所定間隔で前記バッファメモリから前記ＦＩＦＯメモリへの転送クロックである内部画素クロックを間引く間引き手段と、
を備え、
前記バッファメモリから前記内部画素クロックで読み出した画素データを、前記間引き手段にて前記内部画素クロックを間引きしたクロックで前記ＦＩＦＯメモリに書き込んで蓄積し、
前記ＦＩＦＯメモリに蓄積された画素データを、前記内部画素クロックの２分の１分周クロックで読み出すことにより、画素データを間引き、記録することを特徴とするファクシミリ機能付ディジタル複写機。
【発明の詳細な説明】
【０００１】
【発明の属する技術分野】
本発明は、ＦＩＦＯメモリから記録部への転送時、ＦＩＦＯメモリに蓄積された画素データを、バッファメモリからＦＩＦＯメモリへの転送クロックである内部画素クロックの２分の１分周クロックで読み出すことでクロック間引きによる不具合を解消したファクシミリ機能付ディジタル複写機に関する。
【０００２】
【従来の技術】
ファクシミリ送信において、受信する画信号が記録装置の用紙寸法やメモリ回路の記憶容量より大きい場合、所定の方法で縮小率を設定して画信号を受信していた。しかしこの方法では、受信する画信号の大きさをあらかじめ確認し、ユーザーが操作部のスイッチ等で縮小率を設定する作業が必要であり、操作が面倒であり、また、誤操作の可能性もあった。
【０００３】
そこで、その対策として、特開平２−１４６８６８号公報に記載の発明「画像縮小回路」では、入力の主走査イネーブルを計数した副走査長によって縮小率を決定し、画像メモリに蓄積した入力画像をこの縮小率に従って読み出して間引き処理をすることにより、主走査縮小で画素クロックを間引き、入力画像の縮小を行っている。
この方法では、画信号の副走査長を検出した値により自動的に縮小率を設定することができ、外部より予め縮小率を設定する必要がなく、最適の縮小率で出力することができるようになっている。
【０００４】
【発明が解決しようとする課題】
しかしながら、この従来法では、主走査縮小方法として画素クロックを間引いて画像を縮小しているが、ディジタル複写機等では１ライン毎に発生するライン同期信号（ＬＳＹＮＣ）の周期が、Ａ４横つまり２９７ｍｍ分を転送できるが、Ｂ４横、Ａ３横４２０ｍｍは転送できない周期である。
このとき、Ｂ４横をＡ４横に縮小すると、クロック間引きでは１ライン分の画素データとしてＢ４横分の転送が必要となるが、１ライン分の画素データの内ライン同期が途中で発生するため、図５の様に斜線部の画像（Ｂ４横）が無視されることになってしまう。図５に示すライン同期信号がＢ４横の途中で発生してしまい、結果として斜線部の画像が捨てられてしまう。
そして、捨てられた斜線部を有する画像を縮小すると、Ａ４横の斜線部（図５の最下段Ａ４横参照）に不明な画像が記録され、これが出力されてしまうことになる。
【０００５】
そこで、本発明の目的は、内部の画素データ転送クロックを外部の記録部への画素転送クロックの２倍の周波数として、先ず、主走査縮小時内部画素クロックを間引き、間引きしたクロックでＦＩＦＯメモリに画素データを蓄積し、ＦＩＦＯメモリから記録部への転送時、ＦＩＦＯメモリに蓄積された画素データを、内部画素クロックの２分の１分周クロックで読み出すことで、画素データを間引いて上記不具合が発生しないファクシミリ機能付ディジタル複写機を提供することである。
【０００６】
【課題を解決するための手段】
請求項１記載の発明では、ファクシミリ機能付ディジタル複写機が、送信されてきた画像データを受信する受信部と、この受信部で受け取った画像データを蓄積するバッファメモリと、このバッファメモリから画素データを読み出して１ライン毎に蓄積するＦＩＦＯメモリと、主走査方向について間引き設定レジスタに設定してある値により所定間隔で前記バッファメモリから前記ＦＩＦＯメモリへの転送クロックである内部画素クロックを間引く間引き手段と、を備え、前記バッファメモリから前記内部画素クロックで読み出した画素データを、前記間引き手段にて前記内部画素クロックを間引きしたクロックで前記ＦＩＦＯメモリに書き込んで蓄積し、前記ＦＩＦＯメモリに蓄積された画素データを、前記内部画素クロックの２分の１分周クロックで読み出すことにより、画素データを間引き、記録することにより前記目的を達成する。
【０００７】
【発明の実施の形態】
以下、本発明の好適な実施の形態を図１ないし図４を参照して詳細に説明する。
図１は、本実施の形態に係るファクシミリ機能付ディジタル複写機のファクシミリ機能の構成を示した図である。また、図２は、クロック間引き部１０の構成を示した図である。
【０００８】
ファクシミリ機能は、図１に示すように、バッファメモリ１０、クロック間引き部１１およびＦＩＦＯメモリ１２により構成されている。また、クロック間引き部１１には、図２に示すように、カウンタ２２および２３、縮小率を設定するためのレジスタ２４、比較器２５、加算器２６並びにゲート回路２７が備えられている。
ここで、このファクシミリ機能付ディジタル複写機において、受信部にて、Ｂ４原稿をファクシミリにより受信した時、装置にはＡ４横しかセットされないようなとき、Ｂ４原稿をＡ４横に入るよう縮小する時の主走査縮小の方法について説明する。
【０００９】
まず、受信部から画像が入っているバッファメモリ１０からＦＩＦＯメモリ１２への転送は、ＩＰＣＬＫ（内部画素クロック）により行い、縮小時には縮小率設定レジスタ２４（図２）に図４に示す方法で求めた値を設定する。
そして、クロック間引き部１１により１００〜５０％で、２５６段階でＩＰＣＬＫを間引き、／ＨＲＣＬＫ（クロック間引き後の内部画素クロック）を生成し、／ＨＲＣＬＫ（クロック間引き後の内部画素クロック）でＦＩＦＯメモリ１２に画素データを書き込む。
結果としてＨＶＤ（ＦＩＦＯメモリ１２に蓄積されている画素データ）がＦＩＦＯメモリ１２に書き込まれていることになる。
【００１０】
ここで、ＩＰＣＬＫ（内部画素クロック）の２分の１分周クロックＥＰＣＬＫ（記録部への画素クロック）で、ＦＩＦＯメモリ１２から画素データを読み出すこととする。
図３にそのタイミングチャートが示してあり、ＥＰＣＬＫ（記録部への画素クロック）がＩＰＣＬＫ（内部画素クロック）の２分の１分周クロックであることが明らかである。こうして、画素データを間引いたこととなり、このデータをＥＰＣＬＫ（記録部への画素クロック）に同期して記録部に転送し、これを出力する。
【００１１】
ここで、ＥＰＣＬＫ（記録部への画素クロック）は、本来ファクシミリ機能付ディジタル複写機の複写機側での画素クロックであるため、１ライン周期でＡ４横を転送できるクロック数が存在している。よって、主走査縮小を行っても、ＩＰＣＬＫ（内部画素クロック）とＥＰＣＬＫ（記録部への画素クロック）が同じ周波数の時に発生していた図５に示すような不具合が発生することはない。
【００１２】
【発明の効果】
請求項１記載の発明では、主走査縮小において、内部画素クロックを記録部への画素クロックの２倍の周波数とし、バッファメモリから内部画素クロックで読み出した画素データを、間引き手段にて内部画素クロックを間引きしたクロックでＦＩＦＯメモリに書き込んで蓄積し、ＦＩＦＯメモリに蓄積された画素データを内部画素クロックの２分の１分周クロックで読み出すことで、クロック間引きによる不具合を解消することができる。
【図面の簡単な説明】
【図１】本実施の形態に係るファクシミリ機能付ディジタル複写機のファクシミリ機能の構成を示した図である。
【図２】クロック間引き部の構成を示した図である。
【図３】タイミングチャートである。
【図４】縮小率を求める方法を示した図である。
【図５】従来の法における縮小した際生じる不明な画像記載される問題点を説明する図である。
【符号の説明】
１０  バッファメモリ
１１  クロック間引き部
１２  ＦＩＦＯメモリ
２２  カウンタ
２３  カウンタ
２４  レジスタ
２５  比較器
２６  加算器
２７  ゲート回路
【図１】
0003596839.tif 000002
【図２】
0003596839.tif 000003
【図３】
0003596839.tif 000004
【図４】
0003596839.tif 000005
【図５】
0003596839.tif 000006